(57)【要約】【課題】  再生信号波形に符号間干渉が生じても、円滑かつ適正に同期信号を検出できるようにする。【解決手段】  ゼロレベルとは異なる信号レベルにて信号波形をスライスしたときの信号幅Ｌをデータスライス部１１と信号幅検出部１２にて取得する。取得した信号幅Ｌのうち最大幅期間内において最大となる信号幅ＭＡＸ＿Ｌを最大幅検出部１３にて取得し、さらに、信号幅ＭＡＸ＿Ｌのうち基準同期信号幅設定期間内において最大となる信号幅を同期信号幅設定部１４にて基準同期信号幅Ｗとして設定する。同期信号検出部１６は、最大幅検出部１３から入力される最大信号幅ＭＡＸ＿Ｌが“Ｗ−α＜ＭＡＸ＿Ｌ＜Ｗ＋α”を満たすかを判別し、これを満たせば、最大信号幅ＭＡＸ＿Ｌに対応する信号期間を同期信号期間として検出する。【選択図】    図５
2006244569.tif 000002
【特許請求の範囲】
【請求項１】
ゼロレベルとは異なる信号レベルにて信号波形をスライスしたときの信号幅Ｌを検出する信号幅検出部と、
前記信号幅検出部にて検出される信号幅Ｌのうち期間Ｔ１内において最大となる信号幅Ｌを基準同期信号幅Ｗとして設定する同期信号幅設定部と、
前記信号幅検出部にて検出された信号幅Ｌと前記同期信号幅設定部にて設定された基準同期信号幅Ｗを大小比較し、前記基準同期信号幅Ｗに整合する信号幅Ｌの期間を同期信号期間として検出する同期信号検出部とを有する、
ことを特徴とする同期信号検出回路
【請求項２】
請求項１において、
前記同期信号幅設定部は、前記同期信号検出部における同期検出に並行して期間Ｔ１を設定し、この期間Ｔ１内において最大となる信号幅Ｌを基準同期信号幅Ｗとして更新設定する、
ことを特徴とする同期信号検出回路
【請求項３】
請求項１または２において、
前記同期信号検出部は、前記信号幅検出部にて検出される信号幅Ｌのうち期間Ｔ２内において最大となる信号幅Ｌを当該期間Ｔ２における最大信号幅ＭＡＸ＿Ｌとして検出し、この最大信号幅ＭＡＸ＿Ｌが基準同期信号幅Ｗに整合するときこの最大信号幅ＭＡＸ＿Ｌに対応する期間を同期信号期間として検出する、
ことを特徴とする同期信号検出回路。
【請求項４】
請求項１ないし３の何れかにおいて、
前記同期信号検出部は、基準同期信号幅Ｗの変動許容値αをもとに、前記信号幅Ｌまたは最大信号幅ＭＡＸ＿ＬがＷ−αからＷ＋αの範囲内にあるかを判別し、この範囲内にあるときに、前記信号幅Ｌまたは最大信号幅ＭＡＸ＿Ｌが前記同期信号幅Ｗに整合するとして、前記信号幅Ｌまたは最大信号幅ＭＡＸ＿Ｌに対応する期間を同期信号期間として検出する、
ことを特徴する同期信号検出回路。
【請求項５】
請求項４において、
前記同期信号幅Ｗの大きさに応じて前記変動許容値αを設定するα設定部を有する、
ことを特徴とする同期信号検出回路。
【請求項６】
請求項１ないし５の何れかにおいて、
前記期間Ｔ１は、同期信号検出処理時に想定される最長の同期信号発生間隔よりも大きい期間に設定されている、
ことを特徴とする同期信号検出回路。
【請求項７】
請求項１ないし６の何れかにおいて、
前記期間Ｔ２は、同期信号検出処理時に想定される最短の同期信号発生間隔よりも小さい期間に設定されている、
ことを特徴とする同期信号検出回路。
【請求項８】
記録信号中に挿入された同期信号を検出する同期検出回路を有するディスク再生装置において、前記同期検出回路は；
ゼロレベルとは異なる信号レベルにて再生信号波形をスライスしたときの信号幅Ｌを検出する信号幅検出部と、
前記信号幅検出部にて検出される信号幅Ｌのうち期間Ｔ１内において最大となる信号幅Ｌを基準同期信号幅Ｗとして設定する同期信号幅設定部と、
前記信号幅検出部にて検出された信号幅Ｌと前記同期信号幅設定部にて設定された基準同期信号幅Ｗを大小比較し、前記基準同期信号幅Ｗに整合する信号幅Ｌの期間を同期信号期間として検出する同期信号検出部とを有する、
ことを特徴とするディスク再生装置。
【請求項９】
請求項８において、
前記同期信号幅設定部は、前記同期信号検出部における同期検出に並行して期間Ｔ１を設定し、この期間Ｔ１内において最大となる信号幅Ｌを基準同期信号幅Ｗとして更新設定する、
ことを特徴とするディスク再生装置
【請求項１０】
請求項８または９において、
前記同期信号検出部は、前記信号幅検出部にて検出される信号幅Ｌのうち期間Ｔ２内において最大となる信号幅Ｌを当該期間Ｔ２における最大信号幅ＭＡＸ＿Ｌとして検出し、この最大信号幅ＭＡＸ＿Ｌが基準同期信号幅Ｗに整合するときこの最大信号幅ＭＡＸ＿Ｌに対応する期間を同期信号期間として検出する、
ことを特徴とするディスク再生装置。
【請求項１１】
請求項８ないし１０の何れかにおいて、
前記同期信号検出部は、基準同期信号幅Ｗの変動許容値αをもとに、前記信号幅Ｌまたは最大信号幅ＭＡＸ＿ＬがＷ−αからＷ＋αの範囲内にあるかを判別し、この範囲内にあるときに、前記信号幅Ｌまたは最大信号幅ＭＡＸ＿Ｌが前記同期信号幅Ｗに整合するとして、前記信号幅Ｌまたは最大信号幅ＭＡＸ＿Ｌに対応する期間を同期信号期間として検出する、
ことを特徴するディスク再生装置。
【請求項１２】
請求項１１において、
ディスク回転速度に応じて前記変動許容値αを設定するα設定部を有する、
ことを特徴とするディスク再生装置。
【請求項１３】
請求項８ないし１２の何れかにおいて、
前記期間Ｔ１は、同期信号検出処理時に想定される最長の同期信号発生間隔よりも大きい期間に設定されている、
ことを特徴とするディスク再生装置。
【請求項１４】
請求項１ないし１３の何れかにおいて、
前記期間Ｔ２は、同期信号検出処理時に想定される最短の同期信号発生間隔よりも小さい期間に設定されている、
ことを特徴とするディスク再生装置。
【発明の詳細な説明】
【技術分野】
【０００１】
本発明は、同期信号検出回路およびディスク再生装置に関し、特に、信号波形に符号間干渉が生じる場合に用いて好適なものである。
【背景技術】
【０００２】
ＣＤドライブやＤＶＤドライブ等のディスク再生装置には、再生信号から同期信号を検出するための同期信号検出回路が配備されている。ここで、同期信号は、通常の信号よりも長い信号期間を有している場合が多く、この場合、前記同期信号検出回路は、再生信号をゼロレベルでスライスして信号幅を検出し、一連の信号幅のうち最長の信号幅の期間を同期信号期間として検出するよう構成される。なお、同期信号検出回路として、以下の特許文献１、２に記載の発明が知られている。
【特許文献１】特開平７−３２６１３９号公報
【特許文献２】特開平８−１３８３２８号公報
【発明の開示】
【発明が解決しようとする課題】
【０００３】
しかしながら、上記のようにゼロレベルでスライスして同期信号を検出する場合には、特に高密度ディスクを扱う場合等、再生信号波形に符号間干渉が生じる場合に、同期信号期間を正しく検出できないとの問題が生じる。すなわち、再生信号に符号間干渉が生じると、本来現れるべき信号幅よりも長い信号幅がゼロレベルによるスライスにて検出されてしまうため、同期信号期間ではない期間を同期信号期間として誤検出する場合が起こり得る。
【０００４】
そこで、本発明は、かかる問題を解消し、再生信号波形に符号間干渉が生じても、円滑かつ適正に同期信号を検出できる同期信号検出回路およびディスク再生装置を提供することを課題とする。
【課題を解決するための手段】
【０００５】
上記課題に鑑み本発明は、以下の特徴を有する。
【０００６】
請求項１の発明は、同期信号検出回路において、ゼロレベルとは異なる信号レベルにて信号波形をスライスしたときの信号幅Ｌを検出する信号幅検出部と、前記信号幅検出部にて検出される信号幅Ｌのうち期間Ｔ１内において最大となる信号幅Ｌを基準同期信号幅Ｗとして設定する同期信号幅設定部と、前記信号幅検出部にて検出された信号幅Ｌと前記同期信号幅設定部にて設定された基準同期信号幅Ｗを大小比較し、前記基準同期信号幅Ｗに整合する信号幅Ｌの期間を同期信号期間として検出する同期信号検出部とを有することを特徴とする
請求項２の発明は請求項１に記載の同期信号検出回路において、前記同期信号幅設定部は、前記同期信号検出部における同期検出に並行して期間Ｔ１を設定し、この期間Ｔ１内において最大となる信号幅Ｌを基準同期信号幅Ｗとして更新設定することを特徴とする
請求項３の発明は、請求項１または２に記載の同期信号検出回路において、前記同期信号検出部は、前記信号幅検出部にて検出される信号幅Ｌのうち期間Ｔ２内において最大となる信号幅Ｌを当該期間Ｔ２における最大信号幅ＭＡＸ＿Ｌとして検出し、この最大信号幅ＭＡＸ＿Ｌが基準同期信号幅Ｗに整合するときこの最大信号幅ＭＡＸ＿Ｌに対応する期間を同期信号期間として検出することを特徴とする。
【０００７】
請求項４の発明は、請求項１ないし３の何れかに記載の同期信号検出回路において、前記同期信号検出部は、基準同期信号幅Ｗの変動許容値αをもとに、前記信号幅Ｌまたは最大信号幅ＭＡＸ＿ＬがＷ−αからＷ＋αの範囲内にあるかを判別し、この範囲内にあるときに、前記信号幅Ｌまたは最大信号幅ＭＡＸ＿Ｌが前記同期信号幅Ｗに整合するとして、前記信号幅Ｌまたは最大信号幅ＭＡＸ＿Ｌに対応する期間を同期信号期間として検出することを特徴する。
【０００８】
請求項５の発明は、請求項４に記載の同期信号検出回路において、前記同期信号幅Ｗの大きさに応じて前記変動許容値αを設定するα設定部を有することを特徴とする。
【０００９】
請求項６の発明は、請求項１ないし５の何れかに記載の同期信号検出回路において、前記期間Ｔ１は、同期信号検出処理時に想定される最長の同期信号発生間隔よりも大きい期間に設定されていることを特徴とする。
【００１０】
請求項７の発明は、請求項１ないし６の何れかに記載の同期信号検出回路において、前記期間Ｔ２は、同期信号検出処理時に想定される最短の同期信号発生間隔よりも小さい期間に設定されていることを特徴とする。
【００１１】
請求項８の発明は、記録信号中に挿入された同期信号を検出する同期検出回路を有するディスク再生装置において、前記同期検出回路は、ゼロレベルとは異なる信号レベルにて再生信号波形をスライスしたときの信号幅Ｌを検出する信号幅検出部と、前記信号幅検出部にて検出される信号幅Ｌのうち期間Ｔ１内において最大となる信号幅Ｌを基準同期信号幅Ｗとして設定する同期信号幅設定部と、前記信号幅検出部にて検出された信号幅Ｌと前記同期信号幅設定部にて設定された基準同期信号幅Ｗを大小比較し、前記基準同期信号幅Ｗに整合する信号幅Ｌの期間を同期信号期間として検出する同期信号検出部とを有することを特徴とする。
【００１２】
請求項９の発明は、請求項８に記載のディスク再生装置において、前記同期信号幅設定部は、前記同期信号検出部における同期検出に並行して期間Ｔ１を設定し、この期間Ｔ１内において最大となる信号幅Ｌを基準同期信号幅Ｗとして更新設定することを特徴とする。
【００１３】
請求項１０の発明は、請求項８または９に記載のディスク再生装置において、前記同期信号検出部は、前記信号幅検出部にて検出される信号幅Ｌのうち期間Ｔ２内において最大となる信号幅Ｌを当該期間Ｔ２における最大信号幅ＭＡＸ＿Ｌとして検出し、この最大信号幅ＭＡＸ＿Ｌが基準同期信号幅Ｗに整合するときこの最大信号幅ＭＡＸ＿Ｌに対応する期間を同期信号期間として検出することを特徴とする。
【００１４】
請求項１１の発明は、請求項８ないし１０の何れかに記載のディスク再生装置において、前記同期信号検出部は、基準同期信号幅Ｗの変動許容値αをもとに、前記信号幅Ｌまたは最大信号幅ＭＡＸ＿ＬがＷ−αからＷ＋αの範囲内にあるかを判別し、この範囲内にあるときに、前記信号幅Ｌまたは最大信号幅ＭＡＸ＿Ｌが前記同期信号幅Ｗに整合するとして、前記信号幅Ｌまたは最大信号幅ＭＡＸ＿Ｌに対応する期間を同期信号期間として検出する、
ことを特徴する。
【００１５】
請求項１２の発明は、請求項１１に記載のディスク再生装置において、ディスク回転速度に応じて前記変動許容値αを設定するα設定部を有することを特徴とする。
【００１６】
請求項１３の発明は、請求項８ないし１２の何れかに記載のディスク再生装置において、前記期間Ｔ１は、同期信号検出処理時に想定される最長の同期信号発生間隔よりも大きい期間に設定されていることを特徴とする。
【００１７】
請求項１４の発明は、請求項１ないし１３の何れかに記載のディスク再生装置において、前記期間Ｔ２は、同期信号検出処理時に想定される最短の同期信号発生間隔よりも小さい期間に設定されていることを特徴とする。
【００１８】
なお、上記発明における「期間Ｔ１」は、以下に示す実施の形態では「基準同期信号幅検出期間」として示されている。また、上記発明における「期間Ｔ２」は、以下に示す実施の形態では「最大幅検出期間」として示されている。また、上記発明における「変動許容値α」は、以下に示す実施の形態では「マージンα」として示されている。
【発明の効果】
【００１９】
本発明によれば、同期信号検出回路において、ゼロレベルとは異なる信号レベルにて信号波形をスライスしたときの信号幅Ｌをもとに同期信号が検出されるため、信号波形に符号間干渉が生じても、適正に、同期信号期間を検出することができる。
【００２０】
また、請求項２または９の発明によれば、基準同期信号幅Ｗが更新設定されるため、同期引き込み時やＰＬＬ引き込み時等、同期信号期間が変動する場合にも円滑に、同期信号期間を検出することができる。
【００２１】
また、請求項３、４または請求項１０、１１の発明によれば、同期信号検出処理の円滑化を図ることができる。
【００２２】
また、請求項５または１２の発明によれば、基準同期信号幅Ｗの大きさまたはディスク回転速度に応じて変動許容値αを設定するため、同期引き込み時やＰＬＬ引き込み時等、同期信号期間が変動する場合にも円滑に、同期信号期間を検出することができる。
【００２３】
また、請求項６または１３の発明によれば、期間Ｔ１中に必ず同期信号が含まれるため、基準同期信号幅Ｗを適正に設定することができる。
【００２４】
また、請求項７または１４の発明によれば、期間Ｔ２中に同期信号が２つ含まれるのを回避できるため、同期信号の検出漏れを抑制することができる。
【００２５】
本発明の効果ないし意義は、以下に示す実施の形態の説明により更に明らかとなろう。ただし、以下に示す実施の形態は、あくまでも、本発明の一つの例示であって、本発明ないし各構成要件の意義は、以下の実施形態に記載されたものに制限されるものではない。
【発明を実施するための最良の形態】
【００２６】
以下、本発明の実施の形態につき図面を参照して説明する。本実施の形態は、次世代ＤＶＤ（Digital Versatile Disc）等の高密度光ディスクに対して記録／再生を行う光ディスク装置に本発明を適用したものである。図１は、ディスクに記録されるデータのフォーマットである。
【００２７】
図２に、実施の形態に係る光ディスク装置の構成を示す。なお、図２には、再生系のみを図示し記録系については図示省略している。また、フォーカスサーボ回路やトラッキングサーボ回路等も図示省略している。
【００２８】
図２に示す如く、本実施の形態に係る光ディスク装置は、光ピックアップ１０１と、増幅回路１０２と、ＡＤＣ（Analog-Digital Converter）１０３と、データ補間回路１０４と、イコライザ１０５と、ビタビデコーダ１０６と、位相比較器１０７と、ＬＰＦ（ループフィルタ）１０８と、加算器１０９と、デジタルＶＣＯ（Voltage Controlled Oscillator）１１０と、同期信号検出回路１１１と、周波数エラー検出回路１１２と、ＬＰＦ（ループフィルタ）１１３と、スピンドルモータサーボ回路１１４と、スピンドルモータ１１５を備えている。
【００２９】
光ピックアップ１０１は、ディスクにレーザ光を照射してデータの書き込みを行うとともに、ディスクからの反射光を受光してデータの読み取りを行う。増幅回路１０２は、光ピックアップ１０１から供給される再生ＲＦ信号を増幅してＡＤＣ１０３に出力する。ＡＤＣ１０３は、デジタルＶＣＯ１１０にて生成されるリサンプルクロックよりも高周波の非同期クロック（以下、システムクロックという）に応じたサンプリングタイミングにて再生ＲＦ信号をサンプリングし、サンプル値をデジタルデータに変換してデータ補間回路１０４に出力する。
【００３０】
データ補間回路１０４は、ＡＤＣ１０３から入力されるデジタルデータと、デジタルＶＣＯ１１０から入力されるリサンプルクロックおよびリサンプル位相情報を用いて、データ補間タイミング（以下、リサンプルタイミングという）におけるデータ値（リサンプルデータ）を算出し、算出したリサンプルデータをイコライザ１０５と位相比較器１０７に出力する。すなわち、図３示す如く、リサンプルクロックの立ち上がりタイミングからリサンプル位相情報に応じた位相だけずれたリサンプルタイミング（同図●印のタイミング）における補間値を、このリサンプルタイミングを挟む前後のＡＤデータ（ＡＤＣ１０３から入力されるデジタルデータ）をもとに算出し、これをリサンプルタイミングにおけるリサンプルデータとしてイコライザ１０５と位相比較器１０７に出力する。
【００３１】
イコライザ１０５は、データ補間回路１０４から供給されるリサンプルデータに対して波形等化処理を施してビタビデコーダ１０６に出力する。ビタビデコーダ１０６は、イコライザ１０５から供給されたデジタルデータにビタビ復号処理を施して１、０の２値化データを生成出力する。
【００３２】
位相比較器１０７は、データ補間回路１０４から供給されるリサンプルデータをもとに再生ＲＦ信号波形のエッジ、すなわち、図３に示す再生ＲＦ信号波形とスライスレベルの交点位置を判別し、このエッジをもとに設定される正規のリサンプルタイミングとデジタルＶＣＯ１１０にて生成されたリサンプルタイミングの間の位相差を検出する。そして、この位相差に応じたデジタルデータ（位相差データΔＰ）をＬＰＦ１０８に出力する。
【００３３】
ＬＰＦ１０８は、位相差データの高周波成分を遮断して直流化し、これを加算器１０９に出力する。加算器１０９は、ＬＰＦ１０８から供給される位相差データΔＰと、ＬＰＦ１１３から供給される周波数ずれデータΔＦ（後述）を加算してデジタルＶＣＯ１１０に出力する。
【００３４】
デジタルＶＣＯ１１０は、加算器１０９から供給されるデータ（位相差データ＋周波数ずれデータ）に応じて位相差および周波数ずれを補償するようリサンプルクロックの周期を調整し、調整後のリサンプルクロックとそのリサンプル位相情報をデータ補間回路１０４に出力する。また、調整後のリサンプルクロックをスピンドルモータサーボ回路１１４に出力する。
【００３５】
同期信号検出回路１１１は、ＡＤＣ１０３から入力されるデジタルデータから同期信号期間を検出し、検出結果を周波数エラー検出回路１１２に出力する。なお、同期信号検出回路１１１の詳細については追って詳述する。
【００３６】
周波数エラー検出回路１１２は、同期信号検出回路１１１から供給される同期信号期間検出信号から同期信号の周波数を検出し、この周波数と基準周波数との間の差分ΔＦを周波数ずれデータとしてＬＰＦ１１３に出力する。ＬＰＦ１１３は、周波数ずれデータの高周波成分を遮断して直流化し、これを加算器１０９に出力する。
【００３７】
スピンドルモータサーボ回路１１４は、デジタルＶＣＯ１１０から供給されるリサンプルタイミングの周波数とターゲット周波数の間の差分を算出し、これを周波数ずれデータとして、リサンプルタイミングの周波数を適正値に近づけるためのディスク回転サーボ信号を生成する。たとえば、差分が正の値の場合は適正値よりもディスクの回転が遅いので回転を速める必要があり、逆に差分が負の値の場合はディスクの回転を遅くする必要がある。スピンドルモータサーボ回路１１４は、ディスク半径位置に応じた回転数で大まかに回転をあわせ、その後に上記差分を参照して適正な回転数に制御する。しかし、はじめから半径位置に拘わらずＣＡＶ（角速度一定）で回転しておき、上記差分を参照して適正値にあわせることも可能である。
【００３８】
スピンドルモータ１１５は、スピンドルモータサーボ回路１１４から供給されるサーボ信号に応じてディスクを回転駆動する。
【００３９】
次に、同期信号検出回路１１１における同期検出方法について図４を参照して説明する。
【００４０】
かかる同期検出においては、まず、再生信号波形が正負２つの閾値レベルＴｈ１、Ｔｈ２にてスライスされ、各スライス時における信号期間（信号幅Ｌ）が検出される。すなわち、正の閾値レベルＴｈ１にてスライスされる場合は、再生信号の振幅値がＴｈ１以上となってからＴｈ１未満となるまでの期間が信号幅Ｌとして検出され、負の閾値レベルＴｈ２にてスライスされる場合は、再生信号の振幅値がＴｈ２以下となってからＴｈ２を越えるまでの期間が信号幅Ｌとして検出される。具体的には、その期間内に含まれるシステムクロックの個数がカウントされ、そのカウント数が信号幅Ｌとされる。そして、予め設定された期間（最大幅検出期間）において取得される複数の信号幅Ｌの長さが比較され、そのうち最長の信号幅Ｌが当該最大幅検出期間における最大信号幅ＭＡＸ＿Ｌとして取得される。
【００４１】
このように取得された最大信号幅ＭＡＸ＿Ｌは、基準同期信号幅Ｗをマージンαで調整した信号幅Ｗ±αと比較される。ここで、基準同期信号幅Ｗは、同期信号検出処理時に適宜設定される（これについては追って述べる）。そして、最大信号幅ＭＡＸ＿ＬがＷ−αからＷ＋αの範囲にあるかが判別され、その判別結果に応じて最大信号幅ＭＡＸ＿Ｌが同期信号期間であるかが判別される。具体的には、最大信号幅ＭＡＸ＿Ｌと基準同期信号幅Ｗとの差分が求められ、この差分が±αの範囲内にある場合は、最大信号幅ＭＡＸ＿Ｌが同期信号期間とされる。この差分が±αの範囲内にない場合は、最大信号幅ＭＡＸ＿Ｌは同期信号期間とはされない。
【００４２】
図４に示す例では、３つの信号幅Ｌが検出され、このうち１３Ｔの信号幅Ｌが最大信号幅ＭＡＸ＿Ｌとされる。そして、この最大信号幅ＭＡＸ＿Ｌと基準同期信号幅Ｗが比較され、その差分が±αの範囲内にある場合に、この最大信号幅ＭＡＸ＿Ｌが同期信号期間として検出される。なお、従来技術として述べたように、再生信号波形をゼロレベルでスライスした場合は、同図に併せて示す如く、真の同期信号期間とは別の期間が最長期間となるため、この期間が同期信号期間として誤検出される。これに対し、本実施の形態の如くして同期検出を行う場合には、真の同期信号検出期間を適正に同期信号期間として検出する可能性が引き上げられる。
【００４３】
図５に、同期信号検出回路１１１の構成例を示す。
【００４４】
かかる構成例において、同期信号検出回路１１１は、データスライス部１１と、信号幅検出部１２と、最大幅検出部１３と、同期信号幅設定部１４と、α設定部１５と、同期信号検出部１６から構成されている。
【００４５】
データスライス部１１は、ＡＤＣ１０３から入力されるＡＤデータと閾値レベルＴｈ１、Ｔｈ２とを大小比較し、比較結果を信号幅検出部１２に供給する。信号幅検出部１２は、データスライス部１１から供給されるデータをもとに上記のようにして信号幅Ｌ（システムクロックの個数）を検出し、検出結果を最大幅検出部１３に出力する。最大幅検出部１３は、信号幅検出部１２から供給される信号幅Ｌの長さを最大幅検出期間毎に比較し、このうち最長の信号幅Ｌを最大信号幅ＭＡＸ＿Ｌとして検出する。
【００４６】
同期信号幅設定部１４は、同期信号幅設定期間中に最大幅検出部１３から供給される最大信号幅ＭＡＸ＿Ｌを比較し、そのうち最大となる最大信号幅ＭＡＸ＿Ｌを基準同期信号幅Ｗとして設定する。
【００４７】
α設定部１５は、基準同期信号幅Ｗに対するマージンαを設定する。ここで、マージンαは固定でも良いが、より好ましくは、ディスクの回転速度に応じて調整するのが良い。すなわち、ディスクの回転速度が速くなるに応じて小さくなるよう調整すると良い。たとえば、同期信号幅設定部１４によって設定された基準同期信号幅Ｗを適宜モニタし、基準同期信号幅Ｗが大きくなるに応じて大きくなるようマージンαを調整する。
【００４８】
同期信号検出部１６は、最大幅検出部１３から供給される最大信号幅ＭＡＸ＿Ｌと基準同期信号幅Ｗおよびマージンαとを比較して同期信号期間を検出する。すなわち、同期信号検出部１６は、最大信号幅ＭＡＸ＿Ｌと基準同期信号幅Ｗとの差分を求め、求めた差分が±αの範囲内にある場合にのみ、供給された最大信号幅ＭＡＸ＿Ｌを同期信号期間として検出する。
【００４９】
図６に、同期検出時のタイミングチャートを示す。なお、同図の例では、システムクロックを連続して１０００クロックカウントする期間が最大幅検出期間とされ、また、同期検出開始時にシステムクロックを連続して３０００クロックカウントする期間が同期信号幅設定期間（イニシャライズ期間）とされている。
【００５０】
なお、最大幅検出期間の長さは、その期間に同期信号が２個含まれることがないような長さに設定される。たとえば、図２に示す如く、デジタルＶＣＯ１１０を用いたＰＬＬ引き込み時に同期信号を参照する場合には、ＰＬＬ引き込み時に最も早いものとして設定されるディスク回転数のときの１フレーム期間（図１に示す１フレーム期間）よりも短い期間に設定される。
【００５１】
また、同期信号幅設定期間（イニシャライズ期間）は、その期間に必ず同期信号が１個含まれるような長さに設定される。たとえば、ＰＬＬ引き込み時に同期信号を参照する場合には、ＰＬＬ引き込み時に最も遅いものとして設定されるディスク回転数のときの１フレーム期間（図１に示す１フレーム期間）よりも長い期間に設定される。
【００５２】
図６を参照して、同期検出が開始されると、まず、イニシャライズ期間（３０００クロック分）内の各最大幅検出期間（１０００クロック分）にて最大信号幅ＭＡＸ＿Ｌが検出され、そのうち最長の最大信号幅ＭＡＸ＿Ｌが基準同期信号幅Ｗとして設定される。しかる後、この基準同期信号幅Ｗとマージンαを用いて同期信号の検出が開始される。かかる同期信号検出時には、各最大幅検出期間のスタート位置から最大信号幅ＭＡＸ＿Ｌの位置までのクロック数がメモリされる。そして、この最大信号幅ＭＡＸ＿Ｌが同期信号として検出されれば、次の最大幅検出期間のスタート位置から前記メモリしたクロック数だけ経過したタイミングにて同期検出信号が出力される。つまり、同期検出信号は、最大幅検出期間だけ遅延して出力される。
【００５３】
図７に、最大信号幅検出時フローチャートと基準同期信号幅検出時のフローチャートを示す。
【００５４】
同図（ａ）を参照して、最大信号幅検出時には、再生信号波形が閾値レベルＴｈ１、Ｔｈ２にてスライスされ、順次、信号幅Ｌが取得される（Ｓ１０）。信号幅Ｌは、取得される毎に、それまで最長とされている信号幅Ｌと比較され（Ｓ１１）、これより大きければ（Ｓ１１：ＹＥＳ）、信号幅Ｌの最大値ＭＡＸ＿Ｌとして置き換えられる（Ｓ１２）。この置き換えは、最大幅検出期間の開始時から終了時まで繰り返される（Ｓ１３）。すなわち、図６の例では、最大信号幅の検出開始時からのシステムクロックのカウント数（ClkCNT）が１０００クロック（MAXCNT）に達するまで繰り返される。そして、最大幅検出期間が終了すると、そのときに残った信号幅の最大値ＭＡＸ＿Ｌがそのまま最大信号幅ＭＡＸ＿Ｌとして出力される。
【００５５】
同図（ｂ）を参照して、基準同期信号幅検出時には、再生信号波形が閾値レベルＴｈ１、Ｔｈ２にてスライスされ、順次、信号幅Ｌが取得される（Ｓ２０）。信号幅Ｌは、取得される毎に、それまで最長とされている信号幅Ｌと比較され（Ｓ２１）、これより大きければ（Ｓ２１：ＹＥＳ）、信号幅Ｌの最大値Ｗとして置き換えられる（Ｓ２２）。この置き換えは、基準同期信号幅検出期間の開始時から終了時まで繰り返される（Ｓ２３）。すなわち、図６の例では、最大信号幅の検出開始時からのシステムクロックのカウント数（ClkCNT）が３０００クロック（INICNT）に達するまで繰り返される。そして、基準同期信号幅検出期間が終了すると、そのときに残った信号幅の最大値Ｗがそのまま基準同期信号幅Ｗとして出力される。
【００５６】
図８に、同期信号検出時のフローチャートを示す。
【００５７】
同期信号検出が開始されると、まず、図７（ｂ）に示す基準同期信号幅の設定処理が実行され、基準同期信号幅Ｗが設定される（Ｓ１０１）。そして、設定された基準同期信号幅Ｗをもとにマージンαが設定される（Ｓ１０２）。これにてイニシャル期間が終了し、同期信号検出期間が開始される。なお、マージンαが固定の場合、Ｓ１０２は省略される。
【００５８】
しかして、同期信号検出期間が開始されると、図７（ａ）の最大信号幅の検出処理が実行され、最大信号幅ＭＡＸ＿Ｌが取得される（Ｓ１０３）。取得された最大信号幅ＭＡＸ＿Ｌは、Ｓ１０１にて設定された基準同期信号幅Ｗと比較され（Ｓ１０４）、最大信号幅ＭＡＸ＿Ｌが“Ｗ−α＜ＭＡＸ＿Ｌ＜Ｗ＋α”であれば、この最大信号幅ＭＡＸ＿Ｌの期間を同期信号期間として検出する（Ｓ１０５）。最大信号幅ＭＡＸ＿Ｌが“Ｗ−α＜ＭＡＸ＿Ｌ＜Ｗ＋α”でなければ、この最大信号幅ＭＡＸ＿Ｌの期間は同期信号期間として検出されず（Ｓ１０８）、Ｓ１０３に戻る。
【００５９】
Ｓ１０５にて最大信号幅ＭＡＸ＿Ｌの期間を同期信号期間として検出した場合には、最大幅検出期間のスタート位置からこの最大信号幅ＭＡＸ＿Ｌまでの位置ＰＯＳ（スタート位置からのクロック数）が同期信号出力タイミングとして保存される（Ｓ１０６）。そして、次の最大幅検出期間のスタート位置からこの位置ＰＯＳに到達したタイミングにて同期検出信号が出力される（Ｓ１０７）。
【００６０】
しかる後、処理はＳ１０３に戻り、次の最大幅検出期間に対し同様の処理が実行される。かかる処理は、同期検出動作が終了されるまで繰り返し行われる。
本実施の形態によれば、再生信号波形を閾値レベルＴｈ１、Ｔｈ２でスライスしたときの最大信号幅を同期信号期間として検出するため、図４に示す如く再生信号波形に符号間干渉が生じる場合においても、同期信号期間を精度よく検出することができる。
【００６１】
なお、本実施の形態においては、閾値レベルＴｈ１、Ｔｈ２の大きさが同期信号の検出精度に大きく影響する。閾値レベルＴｈ１、Ｔｈ２は、サンプルディスクに対して実験・検証を繰り返しながら同期検出精度を高めることができる範囲に設定すれば良い。図９は、ＨＤＤＶＤ−ＲＯＭに対する検証結果である。これは、正側のスライスレベル（Ｔｈ１）と負側のスライスレベル（Ｔｈ２）をゼロレベルから横軸に示すレベルだけ同様に引き離したときの同期信号の検出エラー率を実験したものである。なお、横軸は、８ビットで正規化したときの信号レベルである。
【００６２】
同図の場合、ゼロレベルに対するスライスレベル（Ｔｈ１）（Ｔｈ２）の信号レベルを１４０〜１６５程度に設定すれば同期検出時のエラーを抑制することができる。この他のサンプルディスクに対しても同様の実験を行い、これらをもとに、スライスレベルの大きさを適正値に設定すれば良い。この他、再生信号のピーク値とボトム値から閾値レベルを適宜調整するようにしても良い。
【００６３】
なお、上記実施形態では、基準同期信号幅Ｗをイニシャライズ期間において設定し、これを、イニシャライズ期間後の同期信号検出期間において用いるようにしたが、基準同期信号幅Ｗをイニシャライズ期間後の同期信号検出期間において適宜更新し、更新後は、その基準同期信号幅Ｗを用いて同期信号検出を行うようにすることもできる。かかる更新は、一定期間毎に行う他、同期検出に失敗したり、あるいは、一定期間以上継続して同期検出を行い得なかった場合に実行するようにすることができる。
【００６４】
図１０に、一定期間毎に基準同期信号幅Ｗの更新を行う場合のタイミングチャートを示す。
【００６５】
ここでは、イニシャライズ期間後の同期信号検出期間中、３０００クロック期間（基準同期信号幅検出期間）毎に基準同期信号幅Ｗが更新される。すなわち、同期検出と平行して、３０００クロック期間中において取得された最大信号幅ＭＡＸ＿Ｌが比較され、そのうち最も長い最大信号幅ＭＡＸ＿Ｌが、当該３０００クロック期間に続く次の３０００クロック期間に用いる基準同期信号幅Ｗとして設定される。
【００６６】
図１１に、かかる場合の同期信号検出時のフローチャートを示す。フローチャート中、Ｓ２０１にて、基準同期信号幅検出期間（図１０の例では３０００クロック期間）毎に基準同期信号幅Ｗが更新される。さらに、更新された基準同期信号幅Ｗをもとにマージンαが再設定される。そして、基準同期信号幅検出期間においては、更新された基準同期信号幅Ｗとマージンαを用いて同期信号期間の検出が行われる（Ｓ１０３〜Ｓ１０７）。
【００６７】
以上、本発明に係る実施の形態について説明したが、本発明は上記実施の形態に限定されるものではない。
【００６８】
たとえば、上記実施の形態では、再生信号の振幅値が正の閾値レベルＴｈ１以上となってからＴｈ１未満となるまでにカウントされたシステムクロックのカウント数と、負の閾値レベルＴｈ２以下となってからＴｈ２を越えるまでにカウントされたシステムクロックのカウント数を信号幅Ｌとて取得したが、図１１に示すように、この信号幅Ｌから前後のエッジ位置までの幅ＥＤＧＥ＿ＬＥＮＧＴＨ１およびＥＤＧＥ＿ＬＥＮＧＴＨ２を信号幅Ｌに加算して、より精緻な信号幅Ｌ＿ＤＥＴＡＩＬを求め、これをもとに、最大信号幅ＭＡＸ＿Ｌおよび基準同期信号幅Ｗの設定、ならびに、同期信号期間の検出を行うようにしてもよい。この場合、上記実施の形態のようにクロック数にて信号幅Ｌ＿ＤＥＴＡＩＬを取得する場合には、ＥＤＧＥ＿ＬＥＮＧＴＨ１とＥＤＧＥ＿ＬＥＮＧＴＨ２は、
ＥＤＧＥ＿ＬＥＮＧＴＨ１＝Ｂ１／（Ａ１＋Ｂ１）
ＥＤＧＥ＿ＬＥＮＧＴＨ２＝Ｂ２／（Ａ２＋Ｂ２）
として求められる。Ａ１およびＢ１、Ａ２およびＢ２は、それぞれエッジ位置を挟む前後のシステムクロックタイミングにおける、Ｔｈ１、Ｔｈ２に対する再生信号の差分（絶対値）である。この場合、ＥＤＧＥ＿ＬＥＮＧＴＨ１とＥＤＧＥ＿ＬＥＮＧＴＨ２は、同図に示す信号幅Ｌ（システムクロック単位）から前後のエッジ位置までの幅を小数点以下のシステムクロック数として表している。
【００６９】
このように、信号幅Ｌ＿ＤＥＴＡＩＬをもとに、最大信号幅ＭＡＸ＿Ｌおよび基準同期信号幅Ｗの設定、ならびに、同期信号期間の検出を行うようにすれば、基準同期信号幅Ｗと最大信号幅ＭＡＸ＿Ｌの比較をより精緻に行うことができ、同期信号の検出精度をさらに引き上げることができる。
【００７０】
また、上記実施の形態では、次世代ＤＶＤ（Digital Versatile Disc）等の高密度光ディスクに対して記録／再生を行う光ディスク装置に本発明を適用した例を示したが、その他の光ディスクに対し記録／再生を行うドライブ装置、あるいは、光磁気ディスク装置や磁気ディスク装置等の他のドライブ装置に本発明を適用することも可能である。但し、本発明は、符号間干渉が生じるディスクを扱うドライブ装置に適用して効果を発揮するものである。
【００７１】
さらに、上記実施の形態では、デジタルＶＣＯ１１０を用いたＰＬＬ引き込み時に同期信号を参照する場合の構成例（図２）を示したが、同期信号を用いる他の構成例に本発明を適用することも勿論可能である。
【００７２】
本発明の実施の形態は、特許請求の範囲に示された技術的思想の範囲内において、適宜、種々の変更が可能である。
【図面の簡単な説明】
【００７３】
【図１】実施の形態に係る記録データのフォーマットを示す図
【図２】実施の形態に係る光ディスク装置の構成例を示す図
【図３】実施の形態に係るリサンプルデータの生成方法を説明する図を示す図
【図４】実施の形態に係る同期検出方法を概念的に示す図
【図５】実施の形態に係る同期信号検出回路の構成例を示す図
【図６】実施の形態に係る同期検出時のタイミングチャート
【図７】実施の形態に係る最大信号幅検出時および基準同期信号幅検出時のフロー図
【図８】実施の形態に係る同期検出時のフローチャート
【図９】実施の形態に係る閾値レベルの設定方法を説明する図
【図１０】他の実施の形態に係る同期検出時のタイミングチャート
【図１１】他の実施の形態に係る同期検出時のフローチャート
【図１２】他の実施の形態に係る信号幅の取得方法を説明する図
【符号の説明】
【００７４】
１１１  同期信号検出回路
１１  データスライス部
１２  信号幅検出部
１３  最大幅検出部
１４  同期信号幅設定部
１５  α設定部
１６  同期信号検出部
【図１】
2006244569.tif 000003
【図２】
2006244569.tif 000004
【図３】
2006244569.tif 000005
【図４】
2006244569.tif 000006
【図５】
2006244569.tif 000007
【図６】
2006244569.tif 000008
【図７】
2006244569.tif 000009
【図８】
2006244569.tif 000010
【図９】
2006244569.tif 000011
【図１０】
2006244569.tif 000012
【図１１】
2006244569.tif 000013
【図１２】
2006244569.tif 000014